(57)【要約】【課題】  折り畳み杖を提供する。【解決手段】折り畳み杖は、上支柱１とグリップ２と下支柱３と支柱４とロック装置５とを含み、該上支柱１の頂端に脇当て部１１を有し、底端に第１接合部１２を有し、該第１接合部１２の中央に第１軸孔１２３を有し、第１軸孔の周りに対応する異なる角度位置に少なくとも１つの位置決め溝１２８と折り畳み収容溝１２０とが設けられる。該グリップ２は、上支柱１に設けられる。該下支柱３の上方に第１接合部１２と接合できる第２接合部３１を有し、該第２接合部に第２軸孔３１３が設けられ、また位置決め溝１２８又は折り畳み収容溝１２０に嵌め込むことができる位置決めピン３１７が設けられる。該ロック装置５は、ノブ５１と軸棒５２と弾性部材５３と組立金具５４とを含み、該ノブ５１が操作部５１１と第１枢結部５１２を備え、該枢結部外側の異なる方向にロック及びアンロックに対応する第１側５１４及び第２側５１５を有する。【選択図】図１
2019195391.tif 000002
【特許請求の範囲】
【請求項１】
頂端に脇当て部を有し、底端に第１接合部を有し、前記第１接合部が第１外表面と第１内表面とを備え、中央に前記第１外表面及び前記第１内表面を貫通する第１軸孔を有し、前記第１軸孔の外周縁に対応する異なる角度位置に少なくとも１つの位置決め溝と折り畳み収容溝とが設けられる上支柱と、
前記上支柱に設けられるグリップと、
上方に前記第１接合部と接合できる第２接合部を有し、前記第２接合部は第２外表面と第２内表面とを備え、前記第２外表面及び前記第２内表面の間に第２軸孔が設けられ、前記第２内表面に前記位置決め溝又は前記折り畳み収容溝に嵌め込むことができる位置決めピンが突設された下支柱と、
ノブと軸棒と弾性部材と組立金具とを含み、前記ノブが操作部と第１枢結部を備え、前記第１枢結部と前記操作部とが連結し、前記第１枢結部が前記上支柱の前記第１接合部の位置に設けられ、前記第１枢結部の外側の異なる方向にロック及びアンロックに対応する第１側及び第２側を有し、
前記軸棒の一側に前記ノブの前記第１枢結部と枢結する第２枢結部を有し、他側に前記第１軸孔及び前記第２軸孔を挿通できる胴部を有し、
前記弾性部材は、前記第１接合部及び前記第２接合部に伸展弾性を提供し、
前記組立金具は、その幅が前記第２軸孔の直径より大きく、前記第２接合部の位置に設けられると共に前記軸棒の前記胴部の端部と接合し、前記ノブがロック位置にある時前記第１側が前記第１軸孔の方向を合わせ、かつ前記第２接合部が前記軸棒で引っ張られて前記第１接合部へ移動して前記位置決めピンと前記位置決め溝を接合させ、また前記ノブを回すと、前記ノブの前記第１枢結部の前記第２側を前記第１軸孔の方向に合わせて前記位置決めピンが前記位置決め溝から離脱させると共に前記上支柱を前記下支柱に対応して折りたたむことができるロック装置と、
を含むことを特徴とする、折り畳み杖。
【請求項２】
前記第１接合部の前記第１内表面の前記第１軸孔に対応する外縁に凸環が設けられ、
前記第２内表面の前記第２軸孔の周り及び前記第１接合部の前記凸環に対応する位置に環状凹溝が設けられ、
前記弾性部材が引張りばねで、前記第２接合部の前記環状凹溝の位置に設けられ、両端が各々前記第１接合部及び前記第２接合部と当接することを特徴とする、請求項１に記載の折り畳み杖。
【請求項３】
前記第１接合部の前記第１外表面の中央の前記第１軸孔の周りに対応する位置に第１凹部が設けられ、前記第１凹部の内部に設けられる当接片を含み、
前記ノブの前記第１枢結部は前記第１凹部の位置に設けられ、前記第２接合部の前記第２外表面の前記第２軸孔の周りに対応する位置に第２凹部が設けられ、
前記軸棒の前記胴部の端部が前記第２凹部に挿入できる第１接合端を有し、前記第１接合端がネジ部を備え、
前記組立金具は、前記第２凹部の位置に設けられ、前記軸棒の前記第１接合端の前記ネジ部と螺合するネジ穴を備えることを特徴とする、請求項１に記載の折り畳み杖。
【請求項４】
前記第２接合部の前記第２凹部に係合孔が設けられ、
前記ロック装置が蓋体を更に含み、前記蓋体は蓋板と前記蓋板の一側から突出する係合凸条とを備え、前記蓋体が前記係合凸条を通じて前記第２接合部の前記係合孔と係合させると共に前記蓋板が前記第２接合部の前記第２凹部を覆い被せることができることを特徴とする、請求項３に記載の折り畳み杖。
【請求項５】
前記第１接合部は、前記第１軸孔の外周縁に対応する１８０度範囲の位置に設けられる複数の位置決め溝を備え、別の１８０度範囲の位置に前記折り畳み収容溝が設けられ、前記折り畳み収容溝内に拘束溝が設けられ、
また前記第２接合部の前記第２内表面に前記位置決めピンより長く、前記拘束溝内で作動できる拘束体が凸設されることを特徴とする、請求項１に記載の折り畳み杖。
【請求項６】
支柱を更に含み、前記支柱の中央に接合溝を有し、前記接合溝に第１接合孔が設けられ、
また前記支柱は、前記下支柱の下方に設けられ、上方に接合部位を有し、下方に支持部位を有し、前記接合部位が前記下支柱の前記接合溝を挿通でき、また異なる高さ位置に複数の第２接合孔が設けられ、
かつ組立ボタンを含み、前記接合部位の前記下支柱に設けられる前記接合溝を適切な位置に調整してから前記組立ボタンを前記接合部位と前記下支柱の前記第２接合孔に挿通させて組み立てることを特徴とする、請求項１に記載の折り畳み杖。
【請求項７】
支柱を更に含み、前記支柱が前記下支柱の下方に設けられ、上方に接合部位を有し、下方に支持部位を有し、前記接合部位が前記下支柱と接合され、
前記支持部位に前記接合部位の下方と連結する直部を有し、前記直部の下方に円弧形部を有し、前記円弧形部の中央上方が前記直部と連結され、一側に作動弾性を提供できる屈曲部を有し、前記屈曲部の下方に地面と接することができる底部を有し、前記屈曲部は上下対向の上内面、下内面を備え、前記上内面及び前記下内面に各々上当接片及び下当接片が突設され、前記上接片及び前記下当接片に間隔を有することを特徴とする、請求項１に記載の折り畳み杖。
【請求項８】
前記上支柱の中央の異なる高さ位置に複数の第３接合孔が設けられ、前記グリップは把持部と接合ボタンとを備え、前記把持部が前記上支柱に設けられ、一側に前記上支柱を嵌合できる嵌合部を有し、
また前記嵌合部に第４接合孔が設けられると共に前記グリップは前記嵌合部を通じて前記上支柱の適切な高さ位置に嵌合させてから前記接合ボタンを前記上支柱と前記グリップの前記第４接合孔に挿通させて組み立てることを特徴とする、請求項１に記載の折り畳み杖。
【請求項９】
前記脇当て部の位置に設けられるショルダーベルトを更に含むことを特徴とする、請求項１に記載の折り畳み杖。
【請求項１０】
前記上支柱の頂端に接合ポストが設けられ、前記脇当て部の上方にクッションを有し、前記クッションの前記接合ポストに対応する位置に第５接合孔が設けられ、
前記ショルダーベルトの前記接合ポストに対応する位置に前記接合ポストを嵌合できる嵌合孔が設けられ、
両端に接合端が設けられると共に前記クッションが接合部材で前記第５接合孔と前記上支柱の前記接合ポストを挿通して連結させることを特徴とする、請求項９に記載の折り畳み杖。
【発明の詳細な説明】
【技術分野】
【０００１】
本発明は、折り畳み杖に関する。特に、伸展、折り畳みが可能で、かつ優れた調整利便性、組立安定性及び適用性を持つ杖に関する。
【背景技術】
【０００２】
従来の杖には、一般的に握り手が付いているＴ字杖、ロフストランドクラッチ又は脇の下を支える松葉杖等の異なるタイプがある。
図１３に示すのが従来の松葉杖構造の一つである。これは、支柱１’と連結フレーム２’と脇当て３’と握り部４’とを備え、該支柱１’の下方に地面と接することができる軟質キャップ１１’が設けられ、該連結フレーム２’は２つの脚片２１’を備える。該２つの脚片２１’の下方が支柱１’と固結され、上方が脇当て３’と接合し、中央部が握り部４’と接合することで、使用者の脇の下を脇当て３’に置いた時、手に握り部４’を握らせると共に支柱１’下方にあるキャップ１１’が地面と接することで支点を形成させることができる。
【０００３】
しかしながら、前記松葉杖は、次の欠陥を有する。（図１３参照）
１．松葉杖は、脇の下から地面までの長さが比較的大きく、使用しない時の保管に不便で、かつ車に入れて運ぶのにも困難である。
２．支柱１’の下方にある軟質キャップ１１’の振動吸収効果が悪いため、該杖で歩行する際不快感が生じる欠陥がある。
３．脇当て３’、握り部４’の組み合わせ高さが調節し難く、異なる使用者に適さない。
４．該杖は、脇当て３’に脇の下を当て、脇で安定して挟むか、又は手で握り部４’を握ることで、杖が人体から離れることを防止できるが、それでもやはり杖の離脱が発生する可能性がある。
前記欠陥を改善するため、例えば特許文献１の杖は、分離可能な上、下支柱組を設計し、該上、下支柱に各々スリーブ及び嵌挿具が設けられ、さらにスリーブを締め付けるロックボタンが設けられており、嵌挿具がスリーブから離脱して上、下支柱組が分離することで折り畳むことができ、嵌挿具をスリーブ内に挿入させてからロックボタンを締め付けて上、下支柱組を安定して結合させる。
しかしながら、該組立及び折り畳み方式は、ロックボタンを回さなければならないため、操作に不便である。
また、ロックボタンが締め付けていない場合、やはり上、下支柱組の緩み又は離脱が発生する可能性があり、該上、下支柱組の分離時に上、下支柱組間を安定して連結できないため、全体の折り畳み性が悪いという欠陥がある。
【０００４】
また特許文献２の杖は、下方支柱に引張りばねが設けられることで、杖に優れた緩衝弾性を持たせるが、該追加したばねが部品及び組立コストを増加させる。
また特許文献３の杖の下方にはフック状弾性脚部が設けられ、該弾性脚部を介することで使用上の弾性・快適性を向上できるが、該弾性脚部は比較的大きな圧力を受けた時過度の湾曲が起きて杖の長さの大幅変更による不安全状況が生じる可能性がある。
また、比較的硬い材料で弾性脚部を設けることで圧下変形度を減少させる場合、該弾性脚部が比較的大きな圧力を受けると、またも緩衝快適性の低下という欠陥が生じる。
【先行技術文献】
【特許文献】
【０００５】
【特許文献１】台湾特許第ＴＷＭ２６６９０２号
【特許文献２】台湾特許第ＴＷＭ４４２１３９号
【特許文献３】米国特許第ＵＳ２０１００２０６３４８号
【発明の概要】
【発明が解決しようとする課題】
【０００６】
本発明の主要目的は、伸展、折り畳みが可能で、かつ好適な調整利便性、組立安定性及び適用性を持つ構造を提供することにある。
【０００７】
本発明の別の目的は、緩衝快適性を向上できる安全性構造を提供することにある。
【０００８】
本発明の更なる目的は、杖が人体から離れることを防ぎ、また組立の長さを調整できることで、好適な適用性を持つ構造を提供することにある。
【課題を解決するための手段】
【０００９】
本発明は、上支柱とグリップと下支柱と支柱とロック装置とを含む。
該上支柱の頂端に脇当て部を有し、底端に第１接合部を有し、該第１接合部が第１外表面と第１内表面とを備え、中央に第１外、内表面を貫通する第１軸孔を有し、第１軸孔の外周縁に対応する異なる角度位置に少なくとも１つの位置決め溝と折り畳み収容溝とが設けられ、
該グリップは、上支柱に設けられ、
該下支柱の上方に第１接合部と接合できる第２接合部を有し、該第２接合部は第２外表面と第２内表面とを備え、該第２外表面及び第２内表面の間に第２軸孔が設けられ、第２内表面に位置決め溝又は折り畳み収容溝に嵌め込むことができる位置決めピンが突設され、
該ロック装置は、ノブと軸棒と弾性部材と組立金具とを含み、該ノブが操作部と第１枢結部を備え、該第１枢結部と操作部とが連結し、該第１枢結部が上支柱の第１接合部位置に設けられ、該第１枢結部の外側の異なる方向にロック及びアンロックに対応する第１側及び第２側を有し、
該軸棒の一側にノブの第１枢結部と枢結する第２枢結部を有し、他側に第１軸孔、第２軸孔を挿通できる胴部を有し、
該弾性部材は、第１接合部及び第２接合部に伸展弾性を提供し、
該組立金具は、その幅が第２軸孔の直径より大きく、第２接合部位置に設けられると共に軸棒の胴部端部と接合し、ノブがロック位置にある時該第１側が第１軸孔の方向を合わせ、かつ第２接合部が軸棒で引っ張られて第１接合部へ移動して位置決めピンと位置決め溝を接合させる。
またノブを回すと、ノブの第１枢結部の第２側を第１軸孔の方向に合わせて位置決めピンが位置決め溝から離脱させると共に上支柱を下支柱に対応して折りたたむことができる。
【００１０】
更に、該第１接合部の第１内表面の第１軸孔に対応する外縁に凸環が設けられ、該第２内表面の第２軸孔周り及び第１接合部の凸環に対応する位置に環状凹溝が設けられる。
該弾性体が引張りばねで、第２接合部の環状凹溝位置に設けられ、両端が各々第１接合部及び第２接合部と当接し、該第１接合部の第１外表面中央の第１軸孔周りに対応する位置に第１凹部が設けられ、第１凹部内に設けられる当接片を更に含む。
該ノブの第１枢結部は第１凹部位置に設けられ、該第２接合部の第２外表面の第２軸孔周りに対応する位置に第２凹部が設けられ、該軸棒の胴部端部が第２凹部に挿入できる第１接合端を有し、該第１接合端がネジ部を備え、
該組立金具は、第２凹部位置に設けられ、軸棒の該第１接合端のネジ部と螺合するネジ穴を備える。
【００１１】
更に、該第１接合部は、第１軸孔の外周縁に対応する１８０度範囲の位置に設けられる複数の位置決め溝を備え、該別の１８０度範囲の位置に該折り畳み収容溝が設けられる。
該折り畳み収容溝内に拘束溝が設けられ、また第２接合部の第２内表面に位置決めピンより長く、拘束溝内で作動できる拘束体が凸設される。
【００１２】
本発明は、支柱を更に含む。該支柱が下支柱の下方に設けられ、上方に接合部位を有し、下方に支持部位を有する。
該接合部位が下支柱と接合され、該支持部位に接合部位の下方と連結する直部を有し、直部の下方に円弧形部を有し、該円弧形部の中央上方が直部と連結され、一側に作動弾性を提供できる屈曲部を有し、該屈曲部の下方に地面と接することができる底部を有する。
該屈曲部は上下対向の上内面及び下内面を備え、上内面及び下内面に各々上当接片及び下当接片が突設され、該上当接片及び該下当接片に間隔を有する。
【００１３】
更に、該上支柱の中央の異なる高さ位置に複数の第３接合孔が設けられ、該グリップは把持部と接合ボタンとを備え、該把持部が上支柱に設けられ、一側に上支柱を嵌合できる嵌合部を有する。
また嵌合部に第４接合孔が設けられると共にグリップは嵌合部を通じて上支柱の適切な高さ位置に嵌合させ、接合ボタンを上支柱とグリップの第４接合孔に挿通させて組み立てる。
【００１４】
本発明は、脇当て部の位置に設けられるショルダーベルトを更に含む。
該上支柱の頂端に接合ポストが設けられ、該脇当て部の上方にクッションを有し、クッションの接合ポストに対応する位置に第５接合孔が設けられ、該ショルダーベルトの接合ポストに対応する位置に接合ポストを嵌合できる嵌合孔が設けられる。
両端に第２接合端が設けられると共にクッションが接合部材で第５接合孔と上支柱の接合ポストを挿通して連結させ、ショルダーベルトを脇当て部上に安定して構設させる。
【発明の効果】
【００１５】
本発明のノブをロック位置にした時、第２接合部が軸棒で引っ張られて第１接合部へ移動して位置決めピンと位置決め溝を接合させると共に上、下支柱の伸展位置を固定できる。
また、ノブを回すと、ノブの枢動により第１枢結部の第２側を第１凹部の第１軸孔の方向に合わせると共に、第２接合部が弾性部材の弾性力によって押動されて位置決めピンと位置決め溝を分離させ、上支柱を下支柱に対して回転して折り畳むことができる。
また、回転時、拘束体は拘束溝に沿って移動できることで、折り畳み動作の安定した効果を向上させる。
【００１６】
本発明のショルダーベルト両端が使用者の肩を巻き付けてから第２接合端を連結させると、杖が人体から離れないという効果が得られる。
また該支柱の屈曲部が上当接片、下当接片で圧縮距離を制限できることで、使用時に優れた快適性及び安全性が得られる。
【図面の簡単な説明】
【００１７】
【図１】本発明の分解斜視図である。
【図２】本発明の別の角度から見た分解斜視図である。
【図３】本発明の上支柱及び下支柱の伸展状態を示す斜視図である。
【図４】本発明の第１接合部及び第２接合部の上支柱及び下支柱伸展における位置を示す断面図である。
【図５】本発明の第１接合部及び第２接合部の上支柱及び下支柱伸展における位置及びロック装置のロック状態を示す断面図である。
【図６】本発明のロック装置のアンロック状態を示す断面図である。
【図７】本発明の杖が折り畳まれた状態を示す模式図である。
【図８】本発明の杖が折り畳まれた時の第１接合部及び第２接合部の相対位置を示す断面図である。
【図９】本発明のグリップ及び支柱の位置調整を示す断面図である。
【図１０】本発明のショルダーベルト設置方法を示す分解斜視図である。
【図１１】本発明のショルダーベルトが杖に設けられた様子を示す斜視図である。
【図１２】本発明を実施した時に使用者が支持される様子を示す図である。
【図１３】従来の杖を示す模式図である。
【発明を実施するための形態】
【００１８】
図１〜図５を参照する。本発明は、上支柱１とグリップ２と下支柱３と支柱４とロック装置５とを含む。
該上支柱１の頂端に脇当て部１１を有し、底端に第１接合部１２を有する。中央の異なる高さ位置に複数の第３接合孔１３が設けられ、各第３接合孔１３に対応する端部に直径が比較的大きい凹部１３１が設けられる。また、該脇当て部１１の後方に滑り止め具１１１が設けられ、該滑り止め具１１１は杖が壁面（図示せず）に立て掛けられた時滑り止め効果を奏する。
該第１接合部１２は、円形体で、第１外表面１２１と第１内表面１２２とを備え、中央に第１外、内表面１２１、１２２を貫通する第１軸孔１２３を有する。該第１外表面１２１中央の第１軸孔１２３周りに対応する位置に第１凹部１２４が設けられ、該第１凹部１２４内に強度が良い当接片１２６が設けられる。
また、該第１内表面１２２の第１軸孔１２３に対応する外縁に凸環１２７が設けられ、凸環１２７の外周に対応する約１８０度範囲内の異なる角度位置に６個の位置決め溝１２８が設けられる。さらに、該別の約１８０度範囲の位置に折り畳み収容溝１２０が設けられ、該折り畳み収容溝１２０の底面に拘束溝１２９が凹設される。
【００１９】
グリップ２は、把持部２１と接合ボタン２２とを備える。
該把持部２１が上支柱１に設けられ、一側に上支柱１を嵌合できる嵌合部２１１を有する。また、嵌合部２１１に第４接合孔２１２が設けられ、第４接合孔２１２に対応する外側に上支柱１の凹部１３１に嵌め込むことができる凸部２１３が設けられると共に、グリップ２が嵌合部２１１を通じて上支柱１の適切な高さ位置に嵌合され、かつ該凸部２１３が凹部１３１に嵌め込まれた後第３接合孔１３及び第４接合孔２１２を正確に合わせることができる。これにより、本発明は優れた位置合わせの利便性を有する。更に、接合ボタン２２を上支柱１とグリップ２の第３接合孔１３に挿通させてグリップ２を適切な組立位置に固定させる。
【００２０】
下支柱３の上方に第１接合部１２と接合できる第２接合部３１を有し、中央に接合溝３２を有する。
該接合溝３２の一側に第２接合孔３２１が設けられ、該第２接合部３１は円形体で、第２外表面３１１と第２内表面３１２とを備え、該第２外表面３１１及び内表面３１２の間に第２軸孔３１３が設けられる。
第２外表面３１１の第２軸孔３１３周りに対応する位置に第２凹部３１４が設けられ、該第２凹部３１４両側に係合孔３１５が設けられる。また、第２内表面３１２の第２軸孔３１３周り及び第１接合部１２の凸環１２７に対応する位置に環状凹溝３１６が設けられる。
さらに第２内表面３１２の環状凹溝３１６外周に対応する異なる角度位置に位置決め溝１２８及び折り畳み収容溝１２０に嵌め込むことができる６個の位置決めピン３１７が設けられ、位置決めピン３１７より長く、拘束溝１２９内で作動できる拘束体３１８が凸設される。
【００２１】
支柱４は、下支柱３の下方に設けられる。
上方に接合部位４１を有し、下方に支持部位４２を有し、該接合部位４１が下支柱３の接合溝３２を挿通できる。また、異なる高さ位置に複数の第１接合孔４１１が設けられ、かつ組立ボタン４１２を含む。
接合部位４１の下支柱３に設けられる接合溝３２を適切な位置に調整してから、組立ボタン４１２を接合部位４１と下支柱３の第２接合孔３２１及び第１接合孔４１１に挿通させて組み立て支柱４を下支柱３の下方に固設させる。
該支持部位４２に接合部位４１の下方と連結する直部４３を有し、直部４３の下方に円弧形部４４を有する。該円弧形部４４の中央上方が直部４３と連結し、一側に作動弾性を提供できる屈曲部４４１を有し、該屈曲部４４１の下方に地面と接することができる底部４４２を有する。
また底部４４２の下方に滑り止めパッド４４３が設けられ、該屈曲部４４１は上下対向の上内面４４４及び下内面４４５を備え、上内面４４４及び下内面４４５に各々上当接片４４６及び下当接片４４７が突設され、該上当接片４４６及び下当接片４４７に圧縮弾性を提供できる適切な間隔４４８（図７、図１２）を有する。
【００２２】
ロック装置５は、ノブ５１と軸棒５２と弾性部材５３と組立金具５４と蓋体５５とを含む。
該ノブ５１が操作部５１１と第１枢結部５１２とを備え、該第１枢結部５１２が操作部５１１と連結される。第１枢結部５１２が上支柱１の第１接合部１２の第１凹部１２４内に設けられる。
枢結孔５１３を備え、第１枢結部５１２外側の異なる方向にロック及びアンロックに対応する第１側５１４及び第２側５１５を有し、該軸棒５２の一側に第２枢結部５２１を有し、他側に胴部５２２を有し、該第２枢結部５２１がノブ５１の第１枢結部５１２の枢結孔５１３と枢結される。
該胴部５２２は第１軸孔１２３及び第２軸孔３１３を挿通できると共に、端部に第２接合部３１の凹部３１４に挿入できる第１接合端５２３を有し、該第１接合端５２３がネジ部５２４を備える。
該弾性部材５３は、第１接合部１２及び第２接合部３１に伸展弾性を提供し、かつ該弾性部材５３が引張りばねである。第２接合部３１の環状凹溝３１６位置に設けられると共に両端が各々第１接合部１２及び第２接合部３１と当接する。
該組立金具５４は、その幅が第２軸孔３１３の直径より大きく、第２接合部３１の第２凹部３１４位置に設けられると共に軸棒５２の第１接合端５２３のネジ部５２４と螺合するネジ穴５４１を備える。
また、該組立金具５４を調整すると、位置決めピン３１７と位置決め溝１２８に安定した接合効果を持たせることができる。
該蓋体５５は蓋板５５１と蓋板５５１の一側から突出する係合凸条５５２とを備え、蓋体５５が係合凸条５５２を通じて第２接合部３１の係合孔３１５と係合させると共に蓋板５５１が第２接合部３１の第２凹部３１４を覆い被せることで、組立の質感を向上できる。
【００２３】
図４、図５に示すように、本発明のノブ５１をロックさせた時、ノブ５１は第１接合部１２の第１外表面１２１と当接する。
該第１側５１４が当接片１２６位置に対応でき、該第２接合部３１が軸棒５２で引っ張られて第１接合部１２へ移動して位置決めピン３１７を同時に位置決め溝１２８と接合させると共に上支柱１及び下支柱３の伸展位置を固定できる。
よって、本発明の６個の位置決め溝１２８と６個の位置決めピン３１７の接合は比較的大きな接触面積を増えると共に、伸展の固定安定性を向上できる。
【００２４】
図６〜図８に示すように、ノブ５１を回すと、第１枢結部５１２の第２側５１５を第１凹部１２４の第１軸孔１２３方向に合わせると共に当接片１２６と当接できる。
また第２接合部３１が弾性部材５３の弾性力によって押動されて位置決めピン３１７と位置決め溝１２８を分離させ、上支柱１を下支柱３に対して回転して折り畳むことができる。
また回転時、拘束体３１８は拘束溝１２９に沿って移動できることで、折り畳み動作の安定した効果を奏する。
またノブ５１をロック位置に圧嵌して位置決めピン３１７を折り畳み収容溝１２０に位置させ、図８に示すように、両側の位置決めピン３１７の側壁を通じて折り畳み収容溝１２０の内壁と当接することで、折り畳み機能が安定した効果を奏する。
【００２５】
図９を参照する。本発明は、使用者のニーズに合わせ、グリップ２の接合ボタン２２を上支柱１の第３接合孔１３及びグリップ２の第４接合孔２１２に挿通してグリップ２の適切な高さ位置を固定できる。
また、支柱４の組立ボタン４１２を適切な位置の第１接合孔４１１と下支柱３の第２接合孔３２１に挿通して、支柱４を適切な組立角度で固定できることで、優れた適用性を有する。
【００２６】
図１０、図１１を参照する。本発明は、脇当て部１１の位置に設けられるショルダーベルト６を更に含む。
該上支柱１の頂端に接合ポスト１１２が設けられ、該脇当て部１１の上方にクッション１１３を有し、クッション１１３の接合ポスト１１２に対応する位置に第５接合孔１１４が設けられ、該ショルダーベルト６の接合ポスト１１２に対応する位置に接合ポスト１１２を嵌合できる。
ショルダーベルト６移動を防止できる嵌合孔６１が設けられ、両端に第２接合端６２及び６３が設けられると共に、クッション１１３が接合部材６４で第５接合孔１１４と上支柱１の接合ポスト１１２を挿通して連結させ、ショルダーベルト６を上支柱１の上方位置に安定して構設することができる。
【００２７】
図１２を参照する。本発明を実施して、使用者の体を支持する時、ショルダーベルト６両端が使用者の肩に巻き付けられてから第２接合端６２及び６３を連結されると、杖が人体から離れないという効果が得られる。
該支柱４円弧形部４４の屈曲部４４１は適切な作動弾性を提供でき、かつ底部下方の滑り止めパッド４４３が滑り止めとして働くことができることで、安全性を向上させる。
支柱４が比較的大きな圧力を受けた時、上当接片４４６及び下当接片４４７が当接することで、円弧形部４４の過度の圧縮変形を避け、かつ円弧形部４４の折損を防止できる、支持弾性及び使用の安全性が得られる。
【００２８】
よって、上記から分かるように、本発明は、複数の位置決めピンを通じて位置決め溝と拘束溝１２９が同時接合することで、上支柱及び下支柱の優れた伸展安定性を向上できる。
また、使用者がノブを回すと、上支柱及び下支柱を枢動して折り畳むことができ、長さを短縮させての持ち運びに便利であり、かつ優れた操作利便性の効果を奏する。本発明の支柱も成形して下支柱の下方に設けさせることができ、該グリップも下支柱の上方位置に設けさせることができる。
【００２９】
なお、本発明では具体的実施例を前述の通り開示したが、あくまでも本発明の技術内容を明らかにするものであって、本発明を限定して解釈するためのものではない。本発明の精神を逸脱することなく、本発明の技術範囲内で行う範囲で、種々の修正及び変更が可能であり、それらはすべて本発明の範囲に含まれる。また、本発明の範囲は添付する特許請求の範囲に限定される。
【符号の説明】
【００３０】
１      上支柱
１１    脇当て部
１１１  滑り止め具
１１２  接合ポスト
１１３  クッション
１１４  第５接合孔
１２    第１接合部
１２１  第１外表面
１２２  第１内表面
１２３  第１軸孔
１２４  第１凹部
１２６  当接片
１２７  凸環
１２８  位置決め溝
１２９  拘束溝
１２０  折り畳み収容溝
１３    第３接合孔
１３１  凹部
２      グリップ
２１    把持部
２１１  嵌合部
２１２  第４接合孔
２１３  凸部
２２    接合ボタン
３      下支柱
３１    第２接合部
３１１  第２外表面
３１２  第２内表面
３１３  第２軸孔
３１４  第２凹部
３１５  係合孔
３１６  環状凹溝
３１７  位置決めピン
３１８  拘束体
３２    接合溝
３２１  第２接合孔
４      支柱
４１    接合部位
４１１  第１接合孔
４１２  組立ボタン
４２    支持部位
４３    直部
４４    円弧形部
４４１  屈曲部
４４２  底部
４４３  滑り止めパッド
４４４  上内面
４４５  下内面
４４６  上当接片
４４７  下当接片
４４８  間隔
５      ロック装置
５１    ノブ
５１１  操作部
５１２  第１枢結部
５１３  枢結孔
５１４  第１側
５１５  第２側
５２    軸棒
５２１  第２枢結部
５２２  胴部
５２３  第１接合端
５２４  ネジ部
５３    弾性部材
５４    組立金具
５４１  ネジ穴
５５    蓋体
５５１  蓋板
５５２  係合凸条
６      ショルダーベルト
６１    嵌合孔
６２    第２接合端
６３    第２接合端
６４    接合部材
１’    支柱
１１’  キャップ
２’    連結フレーム
２１’  脚片
３’    脇当て
４’    握り部
【図１】
2019195391.tif 000003
【図２】
2019195391.tif 000004
【図３】
2019195391.tif 000005
【図４】
2019195391.tif 000006
【図５】
2019195391.tif 000007
【図６】
2019195391.tif 000008
【図７】
2019195391.tif 000009
【図８】
2019195391.tif 000010
【図９】
2019195391.tif 000011
【図１０】
2019195391.tif 000012
【図１１】
2019195391.tif 000013
【図１２】
2019195391.tif 000014
【図１３】
2019195391.tif 000015